【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】
レーザ光を出射する光学走査装置と、装置本体に対して開閉可能な開閉部材であって前記光学走査装置を位置決めする位置決め部を備える開閉部材とを有する画像形成装置において、
前記開閉部材が開かれているときに前記光学走査装置を一時的に保持する保持部材を有することを特徴とする画像形成装置。
【請求項２】
前記開閉部材が閉じられた時、前記光学走査装置は前記保持部材の保持部から外れ、前記開閉部材の位置決め部に支持されることを特徴とする請求項１に記載の画像形成装置。
【請求項３】
前記開閉部材が閉じられた時、前記開閉部材の位置決め部は、前記保持部材の保持部よりも上方に位置することを特徴とする請求項２に記載の画像形成装置。
【請求項４】
前記光学走査装置から出射されるレーザ光が照射される感光体を有し、前記装置本体は前記開閉部材よりも前記感光体に近い側で前記光学走査装置を位置決めする別の位置決め部を有することを特徴とする請求項１に記載の画像形成装置。
【請求項５】
レーザ光を出射する光学走査装置と、装置本体に対して開閉可能な開閉部材とを有する画像形成装置において、
前記開閉部材が開かれているときに前記光学走査装置を一時的に保持する保持部材を有し、前記開閉部材が閉じられた時、前記光学走査装置は前記保持部材の保持部から外れることを特徴とする画像形成装置。
【請求項６】
前記光学走査装置は複数であり、前記保持部材は複数の保持部を有することを特徴とする請求項１または５に記載の画像形成装置。
【請求項７】
前記複数の光学走査装置は鉛直方向に配置されていることを特徴とする請求項６に記載の画像形成装置。
【請求項８】
前記開閉部材が開かれている時、前記光学走査装置は前記装置本体に対して着脱可能であることを特徴とする請求項１または５に記載の画像形成装置。
【手続補正２】
【補正対象書類名】明細書
【補正対象項目名】０００４
【補正方法】変更
【補正の内容】
【０００４】
光学走査装置１０２の固定作業が終了した後、上部の開閉部材１０４により開放部１０１Ａを閉じ、筐体１０１内の光学走査装置１０２を箱状に囲むように筐体１０１が完成し、動作時の負荷やＣＲＧの装填衝撃、物流時の衝撃に耐える筐体強度が完成する。
【手続補正３】
【補正対象書類名】明細書
【補正対象項目名】０００５
【補正方法】変更
【補正の内容】
【０００５】
【発明が解決しようとする課題】
しかしながら、感光ドラム１０３と光学走査装置１０２を備える画像形成装置においては、その双方の位置を筐体１０１内に精度良く配置する必要がある。その上、光学走査装置１０２は筐体１０１の内部に格納、配置しなければならないため筐体１０１内の格納部への開放部１０１Ａを必ず設けなければならない。よって、光学走査装置１０２を筐体１０１内に格納するときには筐体１０１の一部が開放されているので、筐体１０１強度は閉じた状態よりも低下している。
【手続補正４】
【補正対象書類名】明細書
【補正対象項目名】０００７
【補正方法】変更
【補正の内容】
【０００７】
特に、光学走査装置１０２を複数格納する画像形成装置の場合には、筐体１０１に占めている光学走査装置１０２を格納する格納部の割合が大きくなるうえ、格納部へ光学走査装置１０２を装填するための開放部１０１Ａも大きくなってしまうため、筐体１０１の強度が完成するまでに感光ドラム１０３と光学走査装置１０２の位置に狂いが生じる可能性が高くなっていた。
【手続補正５】
【補正対象書類名】明細書
【補正対象項目名】０００８
【補正方法】変更
【補正の内容】
【０００８】
また、開閉部材１０４を開放した状態で筐体強度を得るためには、補強のための筐体骨格部品を増やしたり、高強度の筐体骨格部品にする必要があり、かなりのコストＵＰを強いられていた。
【手続補正６】
【補正対象書類名】明細書
【補正対象項目名】００１１
【補正方法】変更
【補正の内容】
【００１１】
【課題を解決するための手段】
上記目的を達成するために、本発明にあっては、
レーザ光を出射する光学走査装置と、装置本体に対して開閉可能な開閉部材であって前記光学走査装置を位置決めする位置決め部を備える開閉部材とを有する画像形成装置において、
前記開閉部材が開かれているときに前記光学走査装置を一時的に保持する保持部材を有することを特徴とする。
【手続補正７】
【補正対象書類名】明細書
【補正対象項目名】００１２
【補正方法】変更
【補正の内容】
【００１２】
前記開閉部材が閉じられた時、前記光学走査装置は前記保持部材の保持部から外れ、前記開閉部材の位置決め部に支持されることも好ましい。
【手続補正８】
【補正対象書類名】明細書
【補正対象項目名】００１３
【補正方法】変更
【補正の内容】
【００１３】
前記開閉部材が閉じられた時、前記開閉部材の位置決め部は、前記保持部材の保持部よりも上方に位置することも好ましい。
【手続補正９】
【補正対象書類名】明細書
【補正対象項目名】００１４
【補正方法】変更
【補正の内容】
【００１４】
前記光学走査装置から出射されるレーザ光が照射される感光体を有し、前記装置本体は前記開閉部材よりも前記感光体に近い側で前記光学走査装置を位置決めする別の位置決め部を有することも好ましい。
【手続補正１０】
【補正対象書類名】明細書
【補正対象項目名】００１５
【補正方法】変更
【補正の内容】
【００１５】
レーザ光を出射する光学走査装置と、装置本体に対して開閉可能な開閉部材とを有する画像形成装置において、
前記開閉部材が開かれているときに前記光学走査装置を一時的に保持する保持部材を有し、前記開閉部材が閉じられた時、前記光学走査装置は前記保持部材の保持部から外れることを特徴とする。
【手続補正１１】
【補正対象書類名】明細書
【補正対象項目名】００１６
【補正方法】変更
【補正の内容】
【００１６】
前記光学走査装置は複数であり、前記保持部材は複数の保持部を有することも好ましい。
【手続補正１２】
【補正対象書類名】明細書
【補正対象項目名】００１７
【補正方法】変更
【補正の内容】
【００１７】
前記複数の光学走査装置は鉛直方向に配置されていることも好ましい。
【手続補正１３】
【補正対象書類名】明細書
【補正対象項目名】００１８
【補正方法】変更
【補正の内容】
【００１８】
前記開閉部材が開かれている時、前記光学走査装置は前記装置本体に対して着脱可能であることも好ましい。
【手続補正１４】
【補正対象書類名】明細書
【補正対象項目名】００２７
【補正方法】変更
【補正の内容】
【００２７】
筐体３０（装置本体）は、スキャナーユニット９を出し入れするための装填開放部３０Ａと、装填開放部３０Ａを開閉する開閉部材２１とを備え、図２に示すようにスキャナーユニット９を筐体３０内へ格納する際には、筐体３０の側面部に設けられた開閉部材２１を開放し、開放部３０Ａからスキャナーユニット９を装填していく。
【手続補正１５】
【補正対象書類名】明細書
【補正対象項目名】００３５
【補正方法】変更
【補正の内容】
【００３５】
格納部２０には感光ドラム３と反対側の開放部３０Ａの近傍に仮保持する仮保持部材２２が筐体の天井部２３から垂れ下がるように吊り下げられており、スキャナーユニット９を筐体３０内へ装填は、感光ドラム３へ近い側の位置決め固定部９ｂを筐体３０側に設けられた不図示の位置決め部に挿入しながらスキャナーユニット９に設けた引っ掛け部９ａを仮保持部材２２に設けている開口窓２２ａ（保持部）に順次引っ掛けスキャナーユニット９の仮保持を行っていく。